(57)【要約】      （修正有）【課題】外観上の意匠性に優れ、開閉操作の際の安全性を向上させた引戸用の緩衝材を提供する。【解決手段】硬質のベース部１１と、ベース部１１の上面を覆う左右一対の軟質のクッション部１２、１２とを一体に形成し、左右のクッション部１２、１２は、ベース部１１との間に空間１３を有する断面山形に形成し、それぞれの先端部を当接させて内部の空間１３を閉じる。【選択図】図１
2010013800.tif 000002
【特許請求の範囲】
【請求項１】
硬質のベース部と、該ベース部の上面を覆う左右一対の軟質のクッション部とを一体に形成してなり、前記左右のクッション部は、前記ベース部との間に空間を有する断面山形に形成し、それぞれの先端部を当接させることにより前記空間を閉じることを特徴とする引戸用の緩衝材。
【請求項２】
前記左右のクッション部の一方には、側方に突出する軟質のシールリブを形成することを特徴とする請求項１記載の引戸用の緩衝材。
【請求項３】
前記シールリブは、内部を空洞に形成することを特徴とする請求項２記載の引戸用の緩衝材。
【請求項４】
前記ベース部の中央部には、補強用の厚肉部を設けることを特徴とする請求項１ないし請求項３のいずれか記載の引戸用の緩衝材。
【発明の詳細な説明】
【技術分野】
【０００１】
この発明は、引戸の戸先側や戸尻側の木口面にねじ止めする引戸用の緩衝材に関する。
【背景技術】
【０００２】
引戸の木口面にねじ止めする引戸用の緩衝材として、硬質のベース部と、左右一対の軟質の戸当り部とを一体成形するものが提案されている（特許文献１）。
【０００３】
戸当り部は、ベース部の左右の側端面から立ち上げ、それぞれの先端は、ベース部の上方中央部において、開口部を隔てて対向させている。そこで、このものは、中央の開口部を介して、ベース部を引戸の木口面に容易にねじ止めすることができる。
【特許文献１】特開平９−１２５８１２号公報
【発明の開示】
【発明が解決しようとする課題】
【０００４】
かかる従来技術によるときは、左右の戸当り部の先端は、ねじ止め用の開口部を介して対向するから、外観体裁が必ずしも良好ではない上、引戸を開閉操作する際に手指が開口部に入り込み、戸枠との間に手指を挟んで思わぬ怪我をする危険があるという問題があった。
【０００５】
そこで、この発明の目的は、かかる従来技術の問題に鑑み、左右の軟質のクッション部を介してベース部の上面を完全に覆うことによって、外観上の意匠性に優れ、開閉操作の際の安全性を向上させることができる引戸用の緩衝材を提供することにある。
【課題を解決するための手段】
【０００６】
かかる目的を達成するためのこの発明の構成は、硬質のベース部と、ベース部の上面を覆う左右一対の軟質のクッション部とを一体に形成してなり、左右のクッション部は、ベース部との間に空間を有する断面山形に形成し、それぞれの先端部を当接させることにより空間を閉じることをその要旨とする。
【０００７】
なお、左右のクッション部の一方には、側方に突出する軟質のシールリブを形成することができ、シールリブは、内部を空洞に形成することができる。
【０００８】
また、ベース部の中央部には、補強用の厚肉部を設けてもよい。
【発明の効果】
【０００９】
かかる発明の構成によるときは、硬質のベース部は、引戸の木口面に上下方向にねじ止めするが、ねじ止め用のビスは、互いに当接している左右の軟質のクッション部の先端を押し拡げるようにしてベース部にねじ込むことができる。すなわち、左右のクッション部は、それぞれの先端部の間に開口部を残していないので、良好な外観を実現することができ、手指が開口部に入り込むこともなく、戸枠との間に仮に手指を挟んだとしても、怪我をしたりする危険がない。
【００１０】
一方のクッション部の側方に突設する軟質のシールリブは、引違い形式に組み合わせる他の引戸との間の隙間を閉じることにより、遮音性や気密性を向上させることができる。なお、シールリブは、内部を空洞にすることにより、剛性を高め、先端部を他の引戸に密着させて必要な密閉性を容易に実現することができる。
【００１１】
ベース部は、中央部に厚肉部を設け、厚肉部を貫通するビスによってねじ止めすることにより、必要な取付強度を得ることができる。なお、厚肉部の上面には、ビスの先端を位置決めする小溝を形成することが好ましい。
【発明を実施するための最良の形態】
【００１２】
以下、図面を以って発明の実施の形態を説明する。
【００１３】
引戸用の緩衝材１０は、硬質のベース部１１と、左右一対の軟質のクッション部１２、１２とを一体に成形してなる長尺材である（図１）。なお、図１において、緩衝材１０は、引戸２０の戸先側の木口面に対し、ビス３１、３１…を介してねじ止めされており、図１には、ビス３１、３１…は、１本のみが図示されている。
【００１４】
引戸２０は、戸先側の竪框２１を含む上下左右の框材と、框材内に組み込むペーパハニカムの芯材２２と、框材、芯材２２の両面に装着する装飾材２３ａ付きの表面板２３、２３とを備えて構成されている。
【００１５】
緩衝材１０のベース部１１は、引戸２０の厚さｄに適合する幅を有し、左右両端には、引戸２０の木口面に嵌合させる嵌合リブ１１ａ、１１ａが下面側に突設されている（図１、図２（Ａ））。ただし、図２（Ａ）、（Ｂ）は、それぞれ図１の要部拡大図である。ベース部１１の上面側の左右両端部には、それぞれクッション部１２の基部を接合するために、クッション部１２の厚さ相当の段部１１ｂを介して上向きの接合リブ１１ｃが形成されている。ベース部１１の上面中央部には、ビス３１、３１…を貫通させる補強用の厚肉部１１ｄが形成され（図１、図２（Ｂ））、厚肉部１１ｄの上面には、ビス３１、３１…の先端を位置決めする小溝１１ｅがベース部１１の幅方向の中心線上に形成されている。
【００１６】
左右のクッション部１２、１２は、それぞれベース部１１の段部１１ｂ、接合リブ１１ｃに対して基部が一体に接合されており（図１、図２（Ａ））、全体として断面山形に形成され、ベース部１１の上面を覆っている。ただし、クッション部１２、１２の先端部は、内側に滑らかに湾曲させて互いに当接し、クッション部１２、１２とベース部１１との間の空間１３を閉じている。また、各クッション部１２の中間部内面には、ベース部１１に向けて支持リブ１２ａが垂設されている。支持リブ１２ａの下端は、ベース部１１の上面に接合されており、支持リブ１２ａの厚さは、直線的に増減している。ただし、支持リブ１２ａは、一定厚さに形成してもよい。
【００１７】
緩衝材１０は、たとえばベース部１１用の硬質塩化ビニル材とクッション部１２、１２用の軟質塩化ビニル材とを一挙に押出成形し、クッション部１２、１２をベース部１１の上面側に熱接着することにより一体に成形することができる。
【００１８】
緩衝材１０は、ベース部１１を引戸２０の戸先側に嵌合させ（図３の矢印方向）、ビス３１を介し、クッション部１２、１２の先端部を押し拡げるようにして弾性変形させてビス３１を厚肉部１１ｄにねじ込み、ビス３１、３１…を介して引戸２０の竪框２１、すなわち引戸２０の木口面にねじ止めすることができる。また、そのようにして引戸２０に装着された緩衝材１０は、戸先側の竪枠４１に付設する戸当り４２に対し、過大な衝撃音を生じることなく引戸２０を当接させる（図４）。なお、図４には、竪枠４１、戸当り４２と一体に組み立てる壁材４３、４３も併せて図示されている。
【００１９】
以上の説明において、緩衝材１０は、引戸２０の戸先側に限らず、戸尻側の木口面に装着してもよく、戸先側、戸尻側の双方の木口面に装着してもよい。
【他の実施の形態】
【００２０】
緩衝材１０は、一方のクッション部１２に対し、側方に突出する軟質のシールリブ１４を形成することができる（図５）。
【００２１】
シールリブ１４は、引戸２０の戸尻側の木口面に装着されている。また、シールリブ１４は、引戸２０と引違い形式に組み合わせる他の引戸５０に向けて突設されている。シールリブ１４は、内部を空洞１４ａに形成することにより、全体として、適切な弾性を伴って前後に傾斜するように弾性変形させることができる（図５の矢印方向）。
【００２２】
シールリブ１４は、引戸２０、５０を全閉状態に操作すると、他の引戸５０の戸尻側の戸当り５１に弾発的に係合し、引戸２０、５０の間の隙間ｇを気密に閉じることができる。また、シールリブ１４は、引戸２０、５０を開放方向に操作すると、隙間ｇ内に倒れ、引戸２０、５０の開閉に支障を生じることがない。ただし、図５は、引違いの引戸２０、５０を全閉に閉じた状態の召合せ部分を図示している。また、図５の戸当り５１は、引戸５０の戸尻側の竪框５２に対し、ビス５３、５３…を介してねじ止めされている。
【００２３】
なお、図５において、引戸５０は、引戸２０によって開閉する開口部の戸先側のパネルとし、緩衝材１０は、引戸２０の戸先側の木口面に装着するものとしてもよい。ただし、このとき、引戸２０は、図示しないストッパを介し、図５の全閉位置に停止させるものとする。同様に、緩衝材１０を戸先側の木口面に装着する引戸２０は、図示しない戸枠の戸先側の竪枠と組み合わせることもできる。なお、戸先側のパネルや竪枠に対し、戸当り５１は、これを省略してもよい。
【００２４】
以上の説明において、緩衝材１０は、ベース部１１、クッション部１２、１２を個別に成形し、たとえば接着剤を介して一体に接合して形成してもよい。
【図面の簡単な説明】
【００２５】
【図１】使用状態を示す横断面図（１）
【図２】図１の要部拡大説明図
【図３】使用状態を示す横断面図（２）
【図４】使用状態を示す横断面図（３）
【図５】他の実施の形態を示す図４相当図
【符号の説明】
【００２６】
１０…緩衝材
１１…ベース部
１１ｄ…厚肉部
１２…クッション部
１３…空間
１４…シールリブ
１４ａ…空洞
特許出願人          小松ウオール工業株式会社
代理人  弁理士                松  田  忠  秋
【図１】
2010013800.tif 000003
【図２】
2010013800.tif 000004
【図３】
2010013800.tif 000005
【図４】
2010013800.tif 000006
【図５】
2010013800.tif 000007